(57)【要約】【課題】２〜４歳などの幼児などであっても、ランドルト環などの視力検査に用いられる視標を正しく認識していることを客観的に把握することができ、さらに、その幼児が飽きずに複数回視力検査を行うことができ、近見視力及び遠見視力の視力検査を行うことができる視力測定具を提供することを課題とする。【解決手段】視力検査に用いられる視標１１と、視標１１とは異なる識別表示２１とを備え、視標１１の周囲に識別表示２１が配置されて使用されることを特徴とする視力測定具や、視力検査に用いられる視標１１が表示された第一部材１と、視標１１とは異なる識別表示２１を有し第一部材１とは分離可能である第二部材２と、を備え、視標１１の周囲に識別表示２１が配置されて使用されることを特徴とする視力測定具により解決することができた。【選択図】図１
2015198911.tif 000002
【特許請求の範囲】
【請求項１】
視力検査に用いられる視標と、前記視標とは異なる識別表示とを備え、前記視標の周囲に前記識別表示が配置されていることを特徴とする視力測定具。
【請求項２】
視力検査に用いられる視標が表示された第一部材と、
前記視標とは異なる識別表示を有し前記第一部材とは分離可能である第二部材と、を備え、
前記視標の周囲に前記識別表示が配置されて使用されることを特徴とする視力測定具。
【請求項３】
前記視標は、切欠が設けられた記号であることを特徴とする請求項１又は請求項２に記載の視力測定具。
【請求項４】
前記第一部材と前記第二部材のうち少なくとも前記第二部材が平面形状であることを特徴とする請求項２に記載の視力測定具。
【請求項５】
前記識別表示が複数設けられていることを特徴とする請求項１から請求項３のいずれかに記載の視力測定具。
【請求項６】
前記第一部材と前記第二部材のうち少なくとも一方が透明な材料からなることを特徴とする請求項２又は請求項４に記載の視力測定具。
【請求項７】
前記第二部材が貫通孔を有し、前記第一部材と前記第二部材を重ね合わせて前記貫通孔から前記視標が視認可能に使用されることを特徴とする請求項２、請求項４、請求項６のいずれかに記載の視力測定具。
【請求項８】
前記第一部材と前記第二部材のうち少なくとも一方から２８〜３２ｃｍの長さの連結具が取り付けられ、前記紐の末端に覗き窓を有する眼鏡を備えていることを特徴とする請求項２又は請求項４に記載の視力測定具。
【請求項９】
前記識別表示が視認可能に前記第一部材が前記第二部材に対して回動可能に重ね合わせられていることを特徴とする請求項２又は請求項４に記載の視力測定具。
【請求項１０】
前記第一部材と前記第二部材のうち少なくとも前記第一部材が立体形状であり、前記第一部材に複数の前記視標が一つの面に一つずつ設けられていることを特徴とする請求項２又は請求項４に記載の視力測定具。
【請求項１１】
前記第一部材が平面形状であり、一の面に複数の視標が記載され、前記第二部材が平面形状であり、一の面に前記第一部材を配設するレールが設けられていることを特徴とする請求項２又は請求項７に記載の視力測定具。
【請求項１２】
視力検査に用いられる視標を表示する第一表示手段と、
前記視標とは異なる識別表示を前記視標の周囲に表示する第二表示手段と、を備える電子計算機からなることを特徴とする視力測定具。
【発明の詳細な説明】
【技術分野】
【０００１】
本発明は、幼児検診や健康診断などで使用する幼児、児童、生徒などの視力検査に供する視力測定具に関する。
【背景技術】
【０００２】
幼児の視力の発育は生後まもなくから始まり、視力は１歳程度で０．２０〜０．２５、３歳程度で０．６〜０．８となる。そして、４歳程度ともなると視力は０．８〜１．０となり、５〜６歳程度では１．０〜１．２となり、おおよそ６歳までに網膜や視神経の成長に伴う視力の発育が完成する。このように、視力の発育は６才までの幼少期であるので、例えば、小学生になる前年に行われる就学児健康診断において、何らかの理由で視力の発達が十分でない近視や弱視が発見されたとしてもその治療は非常に難しい。このため、感受性の高い３〜４歳の頃に治療を開始できるかどうかということは予後に大きくかかわってくるため、平成三年度から三歳児検診において視力検査が導入されている。
【０００３】
そして、三歳児検診の視力検査においては、大人の視力検査と同様に、輪の一箇所が切れたランドルト環という視標や、特別に子供用に絵が記載された視標などが使用されている。一般に、三歳児検診の視力検査において、０．５が見えていれば、小学校の就学時にほぼ問題なく発達していることが知られているため、その時点で０．５が見えていなければ早期に治療を始めるきっかけとすることができる。
【０００４】
ところが、それら視力検査に供される装置は通常の家庭などでは簡単に入手することができないものであり、病院や役所などでの検診時以外に家庭において検査することが困難である。
【０００５】
そこで、例えば、特許文献１には、日常でも簡便に近見視力を測定できるように、箸の端面や側面にランドルト環などの視標が表示されている形態が開示されている。
【先行技術文献】
【特許文献】
【０００６】
【特許文献１】特開２００７−１６７３３８号公報
【発明の概要】
【発明が解決しようとする課題】
【０００７】
しかしながら、特許文献１に記載の端面や側面にランドルト環などが表示されている箸では、２〜４歳の幼児にとって、そのランドルト環の切れ目がどの方向に向いているかを指し示すことは難しい。そして、２〜４歳の幼児がその方向を正しく指し示していたとしても、大人の話す内容を正確に理解して指し示しているかを把握することはできない。そこで、正確性を期すために、複数回視力検査を行おうとしても、２〜４歳の幼児はすぐに飽きてしまうので、何度も検査を繰り返すことは困難であった。
【０００８】
そこで、本発明は、２〜４歳などの幼児などであっても、ランドルト環などの視力検査に用いられる視標を正しく認識していることを客観的に把握することができ、さらに、その幼児が飽きずに複数回視力検査を行うことができ、近見視力及び遠見視力の視力検査を行うことができる視力測定具を提供することを課題とする。
【課題を解決するための手段】
【０００９】
〔１〕すなわち、本発明は、視力検査に用いられる視標と、
前記視標とは異なる識別表示とを備え、前記視標の周囲に前記識別表示が配置されて使用されることを特徴とする視力測定具である（実施形態１，２，３，４，５，６，７，８，９，１０，１１などが相当）。
【００１０】
〔２〕そして、本発明は、視力検査に用いられる視標が表示された第一部材と、
前記視標とは異なる識別表示を有し前記第一部材とは分離可能である第二部材と、を備え、前記視標の周囲に前記識別表示が配置されて使用されることを特徴とする視力測定具である（実施形態１，２，３，４，５，６，７，８，１０などが相当）。
【００１１】
〔３〕そして、前記視標は、切欠が設けられた記号であることを特徴とする前記〔１〕又は前記〔２〕に記載の視力測定具である（実施形態１，２，３，４，５，６，７，８，９，１０，１１などが相当）。
【００１２】
〔４〕そして、前記第一部材と前記第二部材のうち少なくとも前記第二部材が平面形状であることを特徴とする前記〔２〕に記載の視力測定具である（実施形態１，２，３，４，５，７，１０などが相当）。
【００１３】
〔５〕そして、前記識別表示が複数設けられていることを特徴とする前記〔１〕から前記〔３〕のいずれかに記載の視力測定具である（実施形態１，２，３，５，６，８，１０，１１などが相当）。
【００１４】
〔６〕そして、前記第一部材と前記第二部材のうち少なくとも一方が透明な材料からなることを特徴とする前記〔２〕又は前記〔４〕に記載の視力測定具である（実施形態１などが相当）。
【００１５】
〔７〕そして、前記第二部材が貫通孔を有し、前記第一部材と前記第二部材を重ね合わせて前記貫通孔から前記視標が視認可能に使用されることを特徴とする前記〔２〕、前記〔４〕、前記〔６〕のいずれかに記載の視力測定具である（実施形態２，１０などが相当）。
【００１６】
〔８〕そして、前記第一部材と前記第二部材のうち少なくとも一方から２８〜３２ｃｍの長さの連結具が取り付けられ、前記紐の末端に覗き窓を有する眼鏡を備えていることを特徴とする前記〔２〕又は前記〔４〕に記載の視力測定具である（実施形態１などが相当）。
【００１７】
〔９〕そして、前記識別表示が視認可能に前記第一部材が前記第二部材に対して回動可能に重ね合わせられていることを特徴とする前記〔２〕又は前記〔４〕に記載の視力測定具である（実施形態５などが相当）。
【００１８】
〔１０〕そして、前記第一部材と前記第二部材のうち少なくとも前記第一部材が立体形状であり、前記第一部材に複数の前記視標が一つの面に一つずつ設けられていることを特徴とする前記〔２〕又は前記〔４〕に記載の視力測定具である（実施形態６，７などが相当）。
【００１９】
〔１１〕そして、前記第一部材が平面形状であり、一の面に複数の視標が記載され、前記第二部材が平面状であり、一の面に前記第一部材を配設するレールが設けられていることを特徴とする前記〔２〕又は前記〔７〕に記載の視力測定具である（実施形態１０などが相当）。
【００２０】
〔１２〕そして、視力検査に用いられる視標を表示する第一表示手段と、前記視標とは異なる識別表示を前記視標の周囲に表示する第二表示手段と、を備える電子計算機からなることを特徴とする視力測定具である（実施形態９などが相当）。
【発明の効果】
【００２１】
本発明の視力測定具によれば、２〜４歳などの幼児などであっても、ランドルト環などの視力検査に用いられる視標を正しく認識していることを客観的に把握することができ、さらに、その幼児が飽きずに複数回視力検査を行うことができ、近見視力及び遠見視力の視力検査を行うことができる。
【図面の簡単な説明】
【００２２】
【図１】本発明の第１実施形態を示す視力測定具の分解斜視図である。
【図２】本発明の第１実施形態を示す視力測定具の使用状態図である。
【図３】本発明の第２実施形態を示す視力測定具の分解斜視図である。
【図４】本発明の第２実施形態を示す視力測定具の使用状態図である。
【図５】本発明の第３実施形態を示す視力測定具の分解斜視図である。
【図６】本発明の第４実施形態を示す視力測定具の分解斜視図である。
【図７】本発明の第５実施形態を示す視力測定具の使用状態図である。
【図８】本発明の第６実施形態を示す視力測定具の分解斜視図である。
【図９】本発明の第６実施形態を示す視力測定具の使用状態図である。
【図１０】本発明の第７実施形態を示す視力測定具の使用状態図である。
【図１１】本発明の第８実施形態を示す視力測定具の使用状態図である。
【図１２】本発明の第９実施形態を示す視力測定具の使用状態図である。
【図１３】本発明の第１０実施形態を示す視力測定具の使用状態図である。
【図１４】本発明の第１１実施形態を示す視力測定具の使用状態図である。
【発明を実施するための形態】
【００２３】
以下、本発明に係る視力測定具に関する実施形態について詳しく説明する。
【００２４】
本発明における第一部材１は、視力検査に用いられる視標１１が表示されている媒体である。そして、第一部材1は、多角形や円形などの外形を有し、紙やカードなどのように厚みが薄い平面形状を備えている。若しくは、第一部材1は、正六面体、正十二面体などの正多面体や直方体などの三次元に広がりを有する立体形状を備えている。
【００２５】
そして、第一部材1は、紙、合成樹脂、金属などの材料からなる。また、第一部材１は、ポリエチレンテレフタレート、ポリカーボネート、ポリエチレン、ポリプロピレン、６，６−ナイロンなどの合成樹脂を材料として透明とすることもできる。
【００２６】
視標１１は、視力検査に用いられる標識であり、第一部材1に印刷、付着、彫刻などの方法により表示されている。例えば、視標１１として、一方向側に切れ目が設けられた記号を備えるランドルト環及びＥチャートやアルファベットを用いるスネレン視標などを使用することができる。
【００２７】
第二部材２は、視標１１とは異なる識別表示２１を有しており、第一部材１とは分離可能な部材からなる媒体である。そして、第二部材２は、多角形や円形などの外形を有し、紙やカードなどのように厚みが薄い平面形状を備えている。若しくは、第二部材２は、正六面体、正十二面体などの正多面体や直方体などの三次元に広がりを有する立体形状を備えている。そして、第二部材２が平面形状である場合、第二部材２は、その裏面、すなわち、識別表示２１が表示されていない面に粘着層を有し、平面形状である第一部材１に対して貼り付けたり剥がしたりすることにより、視標１１に対して相対的に位置を変更することもできる。
【００２８】
識別表示２１は、視標１１とは異なる図柄であり、第二部材２に印刷、付着、彫刻などの方法により表示されている。識別表示２１として、動物、植物、数字、アルファベットや平仮名などの文字、アニメや漫画などに登場するキャラクターなどが用いられる。例えば、動物として蟻など1種類を用いて、それに赤、青、黄、緑などに着色し、色彩として区別できるように用いることが可能である。また、犬、猫、うさぎ、ねずみなどそれぞれ異なる動物として区別できるように用いることも可能である。
【００２９】
識別表示２１は、第二部材２に一つまたは二つ以上の複数設けられている。識別表示２１が第二部材２に一つ設けられている場合、識別表示２１は、視標１１の周囲に配置されるように取り付けられて使用される。例えば、識別表示２１は、視標１１を中心として、１２時方向、３時方向、６時方向、９時方向となる位置の４箇所に設けられて使用される。
【００３０】
また、識別表示２１が第二部材２に二つ以上の複数設けられている場合、識別表示２１は、第一部材１と第二部材２を組み合わせると視標１１の周囲に配置されるように第二部材２に設けられている。例えば、識別表示２１は、視標１１を中心として、１２時方向、３時方向、６時方向、９時方向となる位置の４箇所に設けられる。このため、第一部材１と第二部材２を組み合わせると、識別表示２１は、視標１１の周囲に配置されて使用される。
【００３１】
上記説明において、視標１１と識別表示２１は、それぞれ別部材の第一部材１と第二部材２に示されているが、紙、合成樹脂、金属などの材料からなる平面状などの一つ部材に、視標１１の周囲に識別表示２１が配置されて共に示された視力測定具であってもよい。
【００３２】
このように、識別表示２１が視標１１の周囲に配置されて使用されることにより、とりわけ２〜４歳の幼児に対して識別表示２１を答えさせると視標１１を正しく認識していることを客観的に把握することができる。また、２〜４歳の幼児の興味を引き付けて検査を行うことができるので飽きさせずに複数回検査を行うことができる。例えば、視標１１を食べ物と見立てて、識別表示２１である動物のうちどれが食べたかと、大人が幼児に問うことにより判断できる。また、家庭でも日常の遊びの中で適宜確認することができる。また、視力測定と検査対象者との距離を適宜調整することにより、３０ｃｍ、４０ｃｍ、５０ｃｍの距離で測定された近見視力、２．５ｍ、５ｍの距離で測定された遠見視力のいずれも測定することができる。
【００３３】
また、第一部材１と第二部材２の形状の組み合わせとして、第一部材１が平面形状であり第二部材２が平面形状である場合、第一部材１が平面形状であり第二部材２が立体形状である場合、第一部材１が立体形状であり第二部材２が平面形状である場合、第一部材１が立体形状であり第二部材２が立体形状である場合の４通りの組み合わせが存在する。
【００３４】
以下、本発明に係る視力測定具に関する各実施形態について図面を参照して詳しく説明する。なお、範囲を示す表示は上限と下限を含むものである。
【００３５】
〔第１実施形態〕
図１及び図２に示すように、第二部材２は、ＣＤケースやＤＶＤケースのような一端が枢設されて開閉可能である透明部材である。そして、その第二部材２に識別表示２１である蟻４匹がそれぞれ異なる色彩を有して表示されている。また、第二部部材２には、連結具３である長さ２８〜３２ｃｍの紐が取り付けられており、その紐のもう一方の末端に貫通する覗き窓４１を有する眼鏡４が取り付けられている。
【００３６】
そして、カード状の第一部材１の表面に、視標１１である切欠１１２を設けられた記号１１１として、ランドルト環が表示されている。なお、図示しないが、視力０．１〜０．８程度まで０．１刻みで、測定したい視力に応じて複数枚のランドルト環が表示された第一部材１が用意されていても良い。
【００３７】
図２に示すように、第一部材１が第二部材２により挟持されて、第一部材１に表示されたランドルト環が、紐の長さであるおおよそ３０ｃｍ離れた距離から眼鏡４の覗き窓４１を通して視認される。すなわち、検査官である大人が、幼児に対して、事前にランドルト環がドーナツなどの食べ物と説明しておき、どの色の蟻がドーナツを食べたかと問うて、ランドルト環の切欠１１２を幼児に答えさせることにより、幼児が正しく視認できているかを判断することができる。念のため、ランドルト環が表示された第一部材１を抜き出して回転させて異なる色の蟻が食べたと答えられるか複数回検査を行うこともでき、視力検査の精度を向上させることができる。このとき、一般に行われる無機質な検査と異なり、物語性を持たせているので、その大人は幼児を飽きさせることなく検査を行うことができる。
【００３８】
なお、他の実施形態において、ＣＤケースやＤＶＤケースのような部材を第一部材１としてランドルト環などの視標１１を表示し、そこに蟻などの識別表示２１が表示されたカード状の第二部材２を抜き差し、視力検査を行うこともできる。
【００３９】
〔第２実施形態〕
図３及び図４に示すように、第二部材２は、中ほどに貫通孔２２を有する不透明な平坦な紙でできている。そして、その第二部材２に識別表示２１である蟻４匹がそれぞれ異なる色彩を有して貫通孔２２の周囲に表示されている。また、第１実施形態と同様に、第二部部材２に、連結具３である長さ２８〜３２ｃｍの紐を取り付け、その紐のもう一方の末端に貫通する覗き窓４１を有する眼鏡４を取り付けることもできる。
【００４０】
そして、絵本として構成される第一部材１の任意の頁に、視標１１である切欠１１２を設けられた記号１１１として、ランドルト環が表示されている。なお、異なる頁に、視力０．１〜０．８程度まで０．１刻みで、ランドルト環が表示されるようにすることも可能である。視標１１が表示された第一部材１を絵本とすることで、幼児により物語性を感じさせ、話の世界に引き込ませることができるので、幼児が飽きることなく複数回検査を行うことができる。例えば、草原に複数の蟻が住んでおり、そのうちの４匹の蟻が散歩しているとドーナツを見つけ、さらにそのうちの１匹の蟻が素早く食べてしまったというストーリーを見せておくなどすると、絵本のストーリーとして自然な流れで検査を行うことができ、幼児の親が家庭でも気軽に検査を行うことができる。
【００４１】
図４に示すように、ランドルト環である視標１１が表示された第一部材１に、蟻である識別表示２１が表示された第二部材２を、ランドルト環が貫通孔２２を通して見えるように重ねて検査を行う。第一部材１と第二部材２は分離可能な別の部材であるので、第二部材２を第一部材１に対して９０度、１８０度、２７０度回転させて複数回検査を行うことができ、さらに、異なる頁に表示され異なる大きさのランドルト環に対しても同様の検査を行うことができる。
【００４２】
〔第３実施形態〕
図５に示すように、第二部材２は、平坦な紙でできている。そして、その第二部材２に識別表示２１である蟻８匹がそれぞれ異なる色彩を有して放射線状に表示されている。また、第１実施形態と同様に、第二部部材２に、連結具３である長さ２８〜３２ｃｍの紐を取り付け、その紐のもう一方の末端に貫通する覗き窓４１を有する眼鏡４を取り付けることもできる。
【００４３】
そして、八角形状の第一部材１の表面に、視標１１である切欠１１２を設けられた記号１１１として、ランドルト環が表示されている。また、第一部材１の裏面に、貼ったり剥がしたりできる粘着剤が設けられていても良い。そのように粘着剤が設けられていると、ふいに幼児が第二部材２を叩いても第一部材１は落ちない。また、第一部材１を貼り付けた状態で第二部材２を立てかけることもできる。なお、図示しないが、視力０．１〜０．８程度まで０．１刻みで、測定したい視力に応じて複数枚のランドルト環が表示された第一部材１が用意されていても良い。
【００４４】
第二部材２の中央に、第一部材１を所望の角度で載置し、幼児にどの色の蟻がドーナツに模したランドルト環を食べたかを答えさせることにより検査を行う。第一部材１と第二部材２は分離可能な別の部材であるので、第一部材１を第二部材２に対して４５度単位で回転させて複数回検査を行うことができる。
【００４５】
〔第４実施形態〕
図６に示すように、第二部材２は、平坦な紙でできている。そして、その第二部材２に識別表示２１である蟻１匹が任意の色彩を有して表示されている。そして、それぞれ異なる色彩を有する１匹の蟻が表示された第二部材２が他に３枚存在する。また、第二部材２の裏面に、貼ったり剥がしたりできる粘着剤が設けられていても良い。そのように粘着剤が設けられていると、ふいに幼児が第一部材１を叩いても第二部材２は落ちない。また、第二部材２を貼り付けた第一部材１を立てかけることもできる。
【００４６】
そして、正方形状の第一部材１の表面に、視標１１である切欠１１２を設けられた記号１１１として、Ｅチャートが表示されている。なお、図示しないが、視力０．１〜０．８程度まで０．１刻みで、測定したい視力に応じて複数枚のＥチャートが表示された第一部材１が用意されていても良い。また、第１実施形態と同様に、第一部部材１に、連結具３である長さ２８〜３２ｃｍの紐を取り付け、その紐のもう一方の末端に貫通する覗き窓４１を有する眼鏡４を取り付けることもできる。
【００４７】
第一部材１のＥチャートの周囲に、第二部材２を載置し、幼児にどの色の蟻がドーナツに模したＥチャートを食べたかを答えさせることにより検査を行う。第一部材１と第二部材２は分離可能な別の部材であるので、第二部材２を第一部材１に対する配置を変更することができ、複数回検査を行うことができる。
【００４８】
〔第５実施形態〕
図７に示すように、第二部材２は、円形状の平坦な台紙でできている。そして、その第二部材２に識別表示２１である蟻４匹がそれぞれ異なる色彩を有しての円の中心の周囲に表示されている。また、第１実施形態と同様に、第二部部材２に、連結具３である長さ２８〜３２ｃｍの紐を取り付け、その紐のもう一方の末端に貫通する覗き窓４１を有する眼鏡４を取り付けることもできる。
【００４９】
そして、第二部材２よりも径の小さい円形状の第一部材１の表面に、視標１１である切欠１１２を設けられた記号１１１として、ランドルト環が表示されている。そして、第一部材１は、第二部材２に対して時計回り又は反時計回りに回転できるように軸設されている。なお、図示しないが、視力０．１〜０．８程度まで０．１刻みで、測定したい視力に応じて複数枚のランドルト環が表示された第一部材１を取替えることができるように用意されていても良い。
【００５０】
このように、４匹の蟻が表示された第二部材２に対して、第一部材１を所望の角度で調節し、幼児にどの色の蟻がドーナツに模したランドルト環を食べたかを答えさせることにより検査を行う。第一部材１と第二部材２は分離可能な別の部材であるので、第一部材１を第二部材２に対して９０度単位で回転させて複数回検査を行うことができる。
【００５１】
〔第６実施形態〕
図８に示すように、第二部材２は、サイコロ状の六面体である立方体でできている。そして、その第二部材２のそれぞれの表面に識別表示２１である蟻２１ａ、図形２１ｂ、動物２１ｃなどのキャラクターが表示されている。その第二部材２は４個用意され、それぞれにおいて色彩を変えたり図柄を変えたりすることもできる。
【００５２】
そして、第二部材２と同程度の大きさのサイコロ状の立方体である第一部材１の各表面に、視標１１である切欠１１２を設けられた記号１１１として、ランドルト環が表示されている。第一部材１の各表面に、同じ大きさのランドルト環を表示することもできるし、視力の各段階を検査するために異なる大きさのランドルト環を表示することができる。
【００５３】
図９に示すように、ランドルト環が表示された第一部材１の４方向を囲むように、４個の第二部材２を、カテゴリーが共通する識別表示２１を上面にして配置して、幼児にどの色の蟻がドーナツに模したランドルト環を食べたかを答えさせることにより検査を行う。第一部材１と第二部材２は分離可能な別の部材であるので、第一部材１を第二部材２に対して９０度単位で回転させて複数回検査を行うことができるし、幼児がより興味を抱く識別表示２１に変えて再度検査を行うことができる。
【００５４】
〔第７実施形態〕
図１０に示すように、第二部材２は、平坦な紙でできている。そして、その第二部材２に識別表示２１である蟻１匹が任意の色彩を有して表示されている。そして、それぞれ異なる色彩を有する１匹の蟻が表示された第二部材２が他に３枚存在する。また、第二部材２の裏面に、貼ったり剥がしたりできる粘着剤が設けられていても良い。
【００５５】
そして、サイコロ状の立方体である第一部材１の各表面に、視標１１である切欠１１２を設けられた記号１１１として、ランドルト環が表示されている。第一部材１の各表面に、同じ大きさのランドルト環を表示することもできるし、視力の各段階を検査するために異なる大きさのランドルト環を表示することができる。
【００５６】
そして、ランドルト環が表示された第一部材１の４方向を囲むように、４個の第二部材２を配置して、幼児にどの色の蟻がドーナツに模したランドルト環を食べたかを答えさせることにより検査を行う。第一部材１と第二部材２は分離可能な別の部材であるので、蟻が表示されている第二部材２を貼り替えて複数回検査を行うことができる。また、第一部材１の面として異なる大きさのランドルト環が表示されている面を用いることにより、多段階の検査を行うことができる。
【００５７】
〔第８実施形態〕
図１１に示すように、第二部材２は、サイコロ状の六面体である立方体でできている。そして、その第二部材２のそれぞれの表面に識別表示２１である蟻２１ａ、図形２１ｂ、動物２１ｃなどのキャラクターが表示されている。その第二部材２は４個用意され、それぞれにおいて色彩を変えたり図柄を変えたりすることもできる。
【００５８】
そして、正方形状の第一部材１の表面に、視標１１である切欠１１２を設けられた記号１１１として、Ｅチャートが表示されている。なお、図示しないが、視力０．１〜０．８程度まで０．１刻みで、測定したい視力に応じて複数枚のＥチャートが表示された第一部材１が用意されていても良い。また、第１実施形態と同様に、第一部部材１に、連結具３である長さ２８〜３２ｃｍの紐を取り付け、その紐のもう一方の末端に貫通する覗き窓４１を有する眼鏡４を取り付けることもできる。
【００５９】
第一部材１のＥチャートの周囲に、立方体状の第二部材２を載置し、幼児にどの色の蟻がドーナツに模したＥチャートを食べたかを答えさせることにより検査を行う。第一部材１と第二部材２は分離可能な別の部材であるので、第二部材２を第一部材１に対する配置を変更することができ、複数回検査を行うことができる。また、幼児がより興味を抱く識別表示２１に変えて再度検査を行うことができる。
【００６０】
〔第９実施形態〕
図１２に示すように、スマートフォンやタブレット端末など平板状の電子計算機Ｃの画面Ｓに、視標１１である切欠１１２を設けられた記号１１１として、ランドルト環を表示させ、そして、識別表示２１である４匹の蟻を前記視標の周囲に表示させる処理を実行させる。なお、ランドルト環と蟻を表示させるタイミングは、同時でも良いし、時間差を設けて表示させても良い。これら表示手段は、電子計算機が有する記憶媒体にアプリケーションソフトウエアの一部として処理されるものであることが好ましい。なぜなら、各個人が持っているスマートフォンやタブレット端末などに、ダウンロードで簡単に使用することができるからである。また、電子計算機は、スマートフォンやタブレット端末などに限られるものでなく、ノート型パソコン、デクストップ型パソコンであってもよい。
【００６１】
第一部材１のランドルト環の周囲に、識別表示２１である４匹蟻を表示し、幼児にどの色の蟻がドーナツに模したランドルト環を食べたかを答えさせることにより検査を行う。また、電子計算機の特性を活用して、第２実施形態の絵本である第二部材２のように、動画によって物語性を持たせて幼児の興味を引き付けることができる。例えば、草原に複数の蟻が住んでおり、そのうちの４匹の蟻が散歩しているとドーナツを見つけ、さらにそのうちの１匹の蟻が素早く食べてしまったというストーリーを見せた後に、検査を行うことができる。
【００６２】
さらに、電子計算機の特性を活用して、ランドルト環の大きさを変更したり、識別表示２１である蟻を他の記号やキャラクターなどに変更したりすることができる設定手段を設けてもよい。この設定手段を設けることにより、幼児がどの程度の視力であるかを調べることができ、さらに幼児がより興味を抱く識別表示２１に変えて幼児を飽きさせず複数回検査を行うことができる
【００６３】
〔第１０実施形態〕
図１３（ａ）に示すように、矩形状の第一部材１と第二部材２は組み合わされて使用される。矩形状の第一部材１の表面に、視標１１である切欠１１２を設けられた記号１１１として、ランドルト環が複数表示されている。そして、第二部材２は、中ほどに貫通孔２２を有する平坦な部材でできており、その第二部材２に識別表示２１である４匹の動物がそれぞれ貫通孔２２の周囲に表示されている。
【００６４】
そして、図１３（ｂ）は、矩形状の第一部材１の表面を示しており、視標１１である切欠１１２を設けられた記号として、同じ大きさであって切欠１１２の箇所がそれぞれ異なるランドルト環が一列に複数表示されている。測定したい視力によって、大きさの異なるランドル環が示された他の第一部材に取り換えて使用することができる。例えば、近見視力を測定するために、近見視力値として「０．３」、「０．５」、「０．８」などに対応し、複数のランドルト環などの視標１１が示された第一部材を取り換えて使用することができる。また、本実施形態において、視標１１はランドルト環であるが、他の実施形態において、円環状のドーナツが一部欠けた絵などのように、より幼児等に興味が持ちやすいような視標とすることもできる。なお、本実施形態において、視標１１であるランドルト環が４つ示されているが、他の実施形態において、３つ又は５つ以上示されていてもよい。
【００６５】
図１３（ｃ）は矩形状の第一部材１と第二部材２は組み合わされた視力測定具を裏面から見た図である。第一部材１の裏面には、表面に示された複数の指標１１の切欠１１２の箇所が上下左右などどの箇所であるかについてそれぞれ対応する印１２である矢印が仕切１３により区画して示されている。これにより、検査する者が、表面にある指標１１の切欠１１２の箇所をいちいち表面から確認しなくとも裏面から判断することができる。そして、第二部材２の裏側には、貫通孔２２の上下に略平行である２本のレール２３が設けられており、第一部材１をそのレール２３の間に配設し、適宜第一部材１を長手方向に移動させることより、一の視力値について円滑に検査することができる。また、レール２３には、貫通孔２２を挟み、第一部材１の仕切１３に対応するように複数の目印２３１が表示されている。これにより、第一部材１の表面に示された視標１１が適切に貫通孔２２から視認できる位置にあることをいちいち表面から確認しなくとも裏面から判断することができる。
【００６６】
〔第１１実施形態〕
図１４に示すように、平面状のシート部材に、視標１１が示されており、識別表示２１が視標１１の周囲に配置されて示されており、そのシート部材が複数枚重ね合わされ日めくりカレンダーのような冊子となっている。視標１１である切欠１１２を設けられた記号１１１として、ランドルト環が表示されている。そして、識別表示２１である４匹の動物がそのランドルト環の周囲にそれぞれ表示されている。また、図１４には視標１１と識別表示２１が共に示された１枚目しか示していないが、２枚目以降において、切欠１１２のある箇所が１枚目とは異なる記号１１１が示されていたり、さらには、１枚目とは異なる動物などの識別表示２１が示されていたりしてもよい。
【符号の説明】
【００６７】
１・・・第一部材
１１・・視標
１１１・記号
１１２・切欠
１２・・印
１３・・仕切
２・・・第二部材
２１・・識別表示
２２・・貫通孔
２３・・レール
２３１・目印
３・・・連結具
４・・・眼鏡
４１・・覗き窓
Ｃ・・・電子計算機
Ｓ・・・画面
【図１】
2015198911.tif 000003
【図２】
2015198911.tif 000004
【図３】
2015198911.tif 000005
【図４】
2015198911.tif 000006
【図５】
2015198911.tif 000007
【図６】
2015198911.tif 000008
【図７】
2015198911.tif 000009
【図８】
2015198911.tif 000010
【図９】
2015198911.tif 000011
【図１０】
2015198911.tif 000012
【図１１】
2015198911.tif 000013
【図１２】
2015198911.tif 000014
【図１３】
2015198911.tif 000015
【図１４】
2015198911.tif 000016
【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
視力検査に用いられる視標が表示された第一部材と、
前記視標とは異なる識別表示を有し前記第一部材とは分離可能である第二部材と、を備え、
前記視標の周囲に前記識別表示が配置されて使用され、
前記第一部材と前記第二部材のうち少なくとも一方が透明な材料からなることを特徴とする視力測定具。
【請求項２】
視力検査に用いられる視標が表示された第一部材と、
前記視標とは異なる識別表示を有し前記第一部材とは分離可能である第二部材と、を備え、
前記視標の周囲に前記識別表示が配置されて使用され、
前記第二部材が貫通孔を有し、前記第一部材と前記第二部材を重ね合わせて前記貫通孔から前記視標が視認可能に使用されることを特徴とする視力測定具。
【請求項３】
視力検査に用いられる視標が表示された第一部材と、
前記視標とは異なる識別表示を有し前記第一部材とは分離可能である第二部材と、を備え、
前記視標の周囲に前記識別表示が配置されて使用され、
前記第一部材と前記第二部材のうち少なくとも前記第一部材が立体形状であり、前記第一部材に複数の前記視標が一つの面に一つずつ設けられていることを特徴とする視力測定具。
【請求項４】
視力検査に用いられる視標が表示された第一部材と、
前記視標とは異なる識別表示を有し前記第一部材とは分離可能である第二部材と、を備え、
前記視標の周囲に前記識別表示が配置されて使用され、
前記第一部材が平面形状であり、一の面に複数の視標が記載され、前記第二部材が平面形状であり、一の面に前記第一部材を配設するレールが設けられていることを特徴とする視力測定具。